(57)【要約】【課題】  独立して使用できる机同士を連結して一体化し、足入れ空間に一切の障害物がない平面視Ｌ字形若しくはＴ字形の机を構成でき、しかも天板同士の連結が強固であるとともに、外観性にも優れた机システムを提供する。【解決手段】  各机Ａ，Ｂは、天板１の下面に周囲を余して両側枠杆と前枠杆９及び後枠杆とで形成した四角形の支持枠３を固定し、両側に配する脚板体２の上端部を側枠杆の外側又は後枠杆の後側に接合状態で着脱可能にボルト止めするとともに、両側の脚板体に渡して幕板５を着脱可能に取付ける構造とし、一方の机の連結側の脚板体を後枠杆の後側に付け替え、該机の天板の側端縁を他方の机の天板の前端縁に接合した状態で、両机の支持枠の間の隙間を塞ぐように両天板の下面に渡した連結部材４を、一方の机の前枠杆の前面と連続するように配置して両天板にボルト止めした。【選択図】        図１
2008206701.tif 000002
【特許請求の範囲】
【請求項１】
独立して使用できる机同士を連結して一体化し、足入れ空間に一切の障害物がない平面視Ｌ字形若しくはＴ字形の机を構成できる机システムであって、各机は、天板の下面に周囲を余して両側枠杆と前枠杆及び後枠杆とで形成した四角形の支持枠を固定し、両側に配する脚板体の上端部を前記側枠杆の外側又は前記後枠杆の後側に接合状態で着脱可能にボルト止めするとともに、両側の脚板体に渡して幕板を着脱可能に取付ける構造とし、一方の机の連結側の脚板体を後枠杆の後側に付け替え、該机の天板の側端縁を他方の机の天板の前端縁に接合した状態で、両机の支持枠の間の隙間を塞ぐように両天板の下面に渡した連結部材を、前記一方の机の前枠杆の前面と連続するように配置して両天板にボルト止めしたことを特徴とする机システム。
【請求項２】
各机の天板の下面で前記支持枠で囲まれた空間の適所に、未使用の前記連結部材をボルト止めして格納し、両机を連結する際に、各机から外した二つの連結部材を、それぞれ脚板体を外した一方の机の前記前枠杆と後枠杆の延長線上に配置してなる請求項１記載の机システム。
【請求項３】
前記連結部材がブロック状の部材であり、前記支持枠の上下寸法と略一致した高さを有してなる請求項１又は２記載の机システム。
【請求項４】
前記机の支持枠の両側枠杆の外側にそれぞれ脚板体を取付けるとともに、両脚板体間であって前記後枠杆の下方に、後面が該後枠杆の後面と同一垂直面となるように幕板を着脱可能に取付け、あるいは一方の脚板体を支持枠の後枠杆の後側に取付けるとともに、幕板の一側部を該脚板体の前面に接合状態で連結してなる請求項１〜３何れかに記載の机システム。
【発明の詳細な説明】
【技術分野】
【０００１】
本発明は、机システムに係わり、更に詳しくはそれぞれ単独で使用できる複数の机を組替え連結して使用することが可能な机システムに関するものである。
【背景技術】
【０００２】
従来から、独立して使用できる机同士を連結し、あるいは机と書棚、更にはキャビネットを付加して連結して一体化し、用途や好みに応じて機能的な家具を構成できる組替え可能な机システムは各種提供されている。
【０００３】
例えば、特許文献１には、天板の一側端部と他側端部とをそれぞれ脚で支持して成る少なくとも２つの机を有しており、これら２つの机は、独立して使用することと、一方の机における天板の前端面に他方の机における天板の一側端部を当てた平面視Ｌ形又はＴ形の姿勢に配置した使用とが選択可能となっており、平面視Ｌ形又はＴ形に配置した使用においては両机の天板下面に渡した連結具で連結されるようになっている机システムが開示されている。ここで、前記他方の机における左右脚のうち天板の一側端部を支持する一方の脚は、天板の後部寄りに位置して上下に延びる支柱部を備えており、この支柱部の下端面に、当該支柱部の前面から手前側に延びる長さの異なる水平杆を選択的にボルトで締結可能とし、前記天板同士を連結する連結具は長さの長い前記水平杆で兼用し、連結側の支柱部の下端の水平杆は長さの短いものに取り替えるようにしている。
【０００４】
二つの机を連結する特許文献１において、両机の天板は連結具（長さの長い水平杆）で連結しているので、連結強度を確保することができるが、連結側の脚は長さの短い水平杆に取り替えるものの、依然として天板連結部に対応する足入れ空間に突出するように支柱部が存在するので、着座者が一方の机の天板の前から他方の机の天板の前に移動したり、向きを変える際に、脚の支柱部が邪魔になるのである。
【０００５】
なお、特許文献２には、独立して使用できる机と書棚とからなる組替え机が開示され、机の天板一側部と書棚を連結して書棚付き机を構成する際に、前記机の一方の脚部を取外して他方の脚部と一体化できるようになっている。そのため、脚部は、その上部を天板の下面中央部に設けた引出し収容部の側板にボルトにて着脱自在に取付けてあり、取外した一側の脚部は天板の他側の後部に付け替えることができるようになっている。
【特許文献１】特開２００６−９５０６０号公報
【特許文献２】実開平５−２０６４０号公報
【発明の開示】
【発明が解決しようとする課題】
【０００６】
そこで、本発明が前述の状況に鑑み、解決しようとするところは、独立して使用できる机同士を連結して一体化し、足入れ空間に一切の障害物がない平面視Ｌ字形若しくはＴ字形の机を構成でき、しかも天板同士の連結が強固であるとともに、外観性にも優れた机システムを提供する点にある。
【課題を解決するための手段】
【０００７】
本発明は、前述の課題解決のために、独立して使用できる机同士を連結して一体化し、足入れ空間に一切の障害物がない平面視Ｌ字形若しくはＴ字形の机を構成できる机システムであって、各机は、天板の下面に周囲を余して両側枠杆と前枠杆及び後枠杆とで形成した四角形の支持枠を固定し、両側に配する脚板体の上端部を前記側枠杆の外側又は前記後枠杆の後側に接合状態で着脱可能にボルト止めするとともに、両側の脚板体に渡して幕板を着脱可能に取付ける構造とし、一方の机の連結側の脚板体を後枠杆の後側に付け替え、該机の天板の側端縁を他方の机の天板の前端縁に接合した状態で、両机の支持枠の間の隙間を塞ぐように両天板の下面に渡した連結部材を、前記一方の机の前枠杆の前面と連続するように配置して両天板にボルト止めしたことを特徴とする机システムを構成した（請求項１）。
【０００８】
具体的には、各机の天板の下面で前記支持枠で囲まれた空間の適所に、未使用の前記連結部材をボルト止めして格納し、両机を連結する際に、各机から外した二つの連結部材を、それぞれ脚板体を外した一方の机の前記前枠杆と後枠杆の延長線上に配置するようにした（請求項２）。
【０００９】
更に、前記連結部材がブロック状の部材であり、前記支持枠の上下寸法と略一致した高さを有してなることが好ましい（請求項３）。
【００１０】
そして、前記机の支持枠の両側枠杆の外側にそれぞれ脚板体を取付けるとともに、両脚板体間であって前記後枠杆の下方に、後面が該後枠杆の後面と同一垂直面となるように幕板を着脱可能に取付け、あるいは一方の脚板体を支持枠の後枠杆の後側に取付けるとともに、幕板の一側部を該脚板体の前面に接合状態で連結してなることも好ましい（請求項４）。
【発明の効果】
【００１１】
以上にしてなる請求項１に係る発明の机システムは、各机を独立して使用する場合には、天板下面に設けた支持枠を構成する両側枠杆の外側にそれぞれ脚板体の上端部を接合状態で配して着脱可能にボルト止めするとともに、両側の脚板体に渡して幕板を取付けた態様とし、両机を連結して使用する場合には、一方の机の連結側の脚板体を、支持枠を構成する後枠杆の後側に付け替え、該机の天板の側端縁を他方の机の天板の前端縁に接合した状態で、両机の支持枠の間の隙間を塞ぐように両天板の下面に渡した連結部材を、前記一方の机の前枠杆の前面と連続するように配置して両天板にボルト止めした態様とすることにより、足入れ空間に一切の障害物がない平面視Ｌ字形若しくはＴ字形の机を構成でき、しかも天板同士の連結が強固であるとともに、一方の机の前枠杆と連結部材とが外形的に連続して、他方の机の前枠杆に連結した形態となることから外観性に優れたものとなる。また、独立使用形態と連結使用形態との形態間の変更も容易にできる。
【００１２】
請求項２によれば、各机の天板の下面で前記支持枠で囲まれた空間の適所に、未使用の前記連結部材をボルト止めして格納しているので、保管場所を別途設ける必要がなく、連結部材を必要な時に直ちに使用することができ、紛失等の問題も全くないのである。更に、両机を連結する際に、各机から外した二つの連結部材を、それぞれ脚板体を外した一方の机の前記前枠杆と後枠杆の延長線上に配置するようにしたので、連結強度が高い上に、支持枠間の隙間を埋めるので外観性の向上が図れるのである。
【００１３】
請求項３によれば、前記連結部材がブロック状の部材であり、前記支持枠の上下寸法と略一致した高さを有しているので、外観において支持枠の前枠杆若しくは後枠杆と連結部材との連続性に優れ、両机の連結部における一体感を醸し出すことができる。
【００１４】
請求項４によれば、前記机の支持枠の両側枠杆の外側にそれぞれ脚板体を取付けるとともに、両脚板体間であって前記後枠杆の下方に、後面が該後枠杆の後面と同一垂直面となるように幕板を着脱可能に取付けるようにすれば、一方の脚板体を支持枠の後枠杆の後側に付け替えた際に、幕板の一側部を該脚板体の前面に接合状態で連結することができるので、該脚板体の取付強度の向上と、幕板の支持とを同時に達成することができ、脚板体の付け替えによる強度の低下を最小限に抑制することができる。
【発明を実施するための最良の形態】
【００１５】
次に、添付図面に示した実施形態に基づき、本発明を更に詳細に説明する。図１は本発明の机システムにおける連結使用形態を示し、図２は同じく独立使用形態を示し、図中符号Ａは一方の机、Ｂは他方の机、１は天板、２は脚板体、３は支持枠、４は連結部材、５は幕板、６は上棚をそれぞれ示している。
【００１６】
本発明に係る机Ａ，Ｂは、横幅が異なる以外は略同じ構造のものであり、平面視長方形の天板１の両側に配する脚板体２，２を、該天板１の下面に固定した支持枠３を利用して着脱可能に取付けるとともに、両側の脚板体２，２の後部間に渡して幕板５を取付け、剛性の高い構造としている。そして、前記天板１の後部には上棚６を適宜載置するとともに、該天板の側縁に固定金具７で連結している。本実施形態では、机Ａ，Ｂは主要構成部材は全て木製であるが、本発明はそれに限定されるものではない。
【００１７】
更に詳しくは、前記机Ａ，Ｂは、図２、図３及び図５に示すように、天板１の下面に周囲を余して両側枠杆８，８と前枠杆９及び後枠杆１０とで形成した四角形の支持枠３を固定し、両側に配する脚板体２，２の上端部を前記側枠杆８の外側に接合状態で着脱可能にボルト１１，１１にて締結するとともに、両側の脚板体２，２に渡して幕板５を着脱可能に取付ける構造としている。ここで、前記脚板体２の上面と天板１の下面の接合部には、挿脱可能なピンダボでの係合構造も前記ボルト止めと併せて採用し、強固な連結を達成している。
【００１８】
そして、一方の机Ａの一側端と、他方の机Ｂの前端とを接合した状態で連結し、平面視Ｌ字形若しくはＴ字形の机を構成する場合には、図４〜図６に示すように、前記机Ａの一方の脚板体２を天板１の側部から外すとともに、前記幕板５の一端部との連結を解除し、その外した脚板体２の上端部を該天板１の連結側寄りの後部で、前記支持枠３の後枠杆１０の後側に接合した状態で、前記同様に後枠杆１０に脚板体２をボルト１１，１１にて締結するとともに、該脚板体２を前記幕板５の後面に接合した状態でお互いを連結ネジ１２，１２にて締結する。
【００１９】
ここで、前記連結部材４は、ブロック状の部材であり、前記支持枠３の上下寸法と略一致した高さを有し、未使用には各机Ａ，Ｂの天板１の下面で前記支持枠３で囲まれた空間の適所に、ボルト止めして格納されている。本実施形態では、前記天板１の左右中央で後部に連結部材４を４本のボルト１３，…で取付けられ、該ボルト１３，…はそのまま両机Ａ，Ｂを連結する際に使用される。
【００２０】
つまり、図１、図６及び図７に示すように、前記各机Ａ，Ｂから外した二つの連結部材４，４を、それぞれ脚板体２を外した一方の机Ａの前記前枠杆９と後枠杆１０の延長線上に配置し、各連結部材４の一端部を該机Ａの天板１の下面にボルト１３，１３で締結するとともに、各連結部材４の他端部を前記机Ｂの天板１の下面にボルト１３，１３で締結する。この際、前記連結部材４によって一方の机Ａの支持枠３と他方の机Ｂの支持枠３との間の隙間を、視覚的に完全に塞くことができるのである。
【００２１】
更に各部の詳細を説明する。前記幕板５は、両脚板体２，２間であって前記後枠杆１０の下方に、後面が該後枠杆１０の後面と同一垂直面となるように、回転締結具１４，…にて着脱可能に取付けている。この回転締結具１４は、市販品であり、部材同士を接合状態で互に引き付けて連結するものである。
【００２２】
前記脚板体２は、単純な板状のものでも良いが、本実施形態では図１及び図３に示すように、角材からなる両側の脚柱１５，１５の内側間に、下部を余して化粧板１６を連結するとともに、該化粧板１６の下端位置に受部材１７を渡設し、更にその上方位置で前記化粧板１６との間に空間を設けて支持板１８を渡設し、外側面にマガジンラックを設けた構造のものを示した。
【００２３】
また、前記上棚６は、基本構造として、両側板１９，１９の後端縁間に背板２０を渡設するとともに、両側板１９，１９の上部間に上棚板２１を渡設した構造のものであり、前記両側板１９，１９、背板２０及び上棚板２１で囲まれる空間に取付ける棚板や仕切板によって多様な形態を有する。図２（ａ）に示した上棚６は、前記上棚板２１の下面中間部から仕切板２２を垂下するとともに、該仕切板２２の下端と一方の側板１９間に下棚板２３を連結し、更に該下棚板２３と上棚板２１との間に複数の仕切板２４，…を設けたものであり、これら仕切板２２、側板１９、下棚板２３、上棚板２１及び仕切板２４，…で区画された収納ボックス体が天板１の上位に浮いた位置に存在するものである。また、図２（ｂ）に示した上棚６は、前記仕切板２２が存在せず、前記下棚板２３を直接両側板１９，１９間に渡設した構造である。
【００２４】
また、図８及び図９に示した実施形態は、本発明に係る机と上棚６とを組み合わせたものである。本実施形態では、両机Ａ，Ｂの奥行幅Ｄは同じであり、机Ａの横幅ＷＡは机Ｂの横幅ＷＢよりも狭く、ＷＡ＋Ｄ＝ＷＢの関係になる寸法に設定している。そして、独立使用形態を考慮して、机Ａの天板１の後部には、略同じ横幅の上棚６Ａを載置し、一方、机Ｂの天板１の後部にも、略同じ横幅の上棚６Ｂを載置して組み合わせる構成とした。通常の独立使用形態では、図８に示すように、机Ａに上棚６Ａを載置し、机Ｂに上棚６Ｂを載置して使用するが、連結使用形態では図９に示すように、机Ａと机Ｂに上棚６Ｂを載置し、机Ｂに上棚６Ａを載置すれば、横幅の広い上棚６Ｂが、机Ａの天板１から上棚６Ｂの天板１に渡って載置される。この場合、前記背板２０の下端が天板１に接触するように構成すれば、前記上棚６Ｂの一方の側板１９を机Ａの天板１の側端に固定金具７で固定し、他方の側板１９を机Ｂの天板１の後端に固定金具７で固定することにより、両天板１，１の連結を更に強固なものとすることができるとともに、両天板１，１間の段差の発生を抑制することができる。
【００２５】
最後に、図１０〜図１４に基づいて上棚６の各種形態を簡単に説明する。図１０に示した上棚６は、図２（ｂ）に示したものと略同じ構造であり、下棚板２３を直接両側板１９，１９間に渡設するとともに、該下棚板２３と上棚板２１との間に複数の仕切板２４，…を設けたものであり、これら側板１９、下棚板２３、上棚板２１及び仕切板２４，…で区画された収納ボックス体が天板１の上位に浮いた位置に存在するものである。
【００２６】
図１１に示した上棚６は、前記上棚板２１の下面中間部から仕切板２２を垂下するとともに、該仕切板２２の下端と一方の側板１９間に下棚板２３を連結し、更に該下棚板２３と上棚板２１との間に複数の仕切板２４，…を設け、更に下棚板２３の下方に高さ調節可能に棚板２５を設けたものである。
【００２７】
図１２に示した上棚６は、前記上棚板２１の下面両側部から仕切板２２，２２を垂下するとともに、各仕切板２２の下端と対応する側の側板１９間にそれぞれ下棚板２３を連結し、両仕切板２２，２２間に高さ調節可能に棚板２５を設け、前記仕切板２２と側板１９間に高さ調節可能に小棚板２６を設けたものである。
【００２８】
図１３及び図１４に示した上棚６は、高さの異なる二つの小上棚２７，２８を左右付け替え可能に連結したものである。前記小上棚２７は、高さが高く、横幅が狭く、奥行幅が広い形状であり、両側板１９，１９の背面に背板２０（図示せず）を連結するとともに、上端に上棚板２１を渡設した構造である。また、前記小上棚２８は、高さが低く、横幅が広く、奥行幅が狭い形状であり、両側板１９，１９（一方は図示せず）の背面に背板２０（図示せず）を連結するとともに、上端に上棚板２１を渡設し、更に上棚板２８の下方に複数の仕切板２４，…を垂下した構造である。これら前記小上棚２７と小上棚２８の側板１９，１９同士を貫通させた締結具で連結して上棚６を構成する。前記小上棚２７と小上棚２８は、左右付け替え可能な構造となっている。ここで、図１４に示した小上棚２７には、小上棚２８と同様に上棚板２１の下方に仕切板２４を垂下した構造である。
【図面の簡単な説明】
【００２９】
【図１】本発明に係る机システムの連結使用形態における斜視図である。
【図２】同じく独立使用形態を示し、（ａ）は横幅の広い机、（ｂ）は横幅の狭い机をそれぞれ示している。
【図３】独立使用形態の机の正面図である。
【図４】連結使用形態の机の正面図である。
【図５】独立使用形態の机の底面図である。
【図６】連結使用形態の机の底面図である。
【図７】連結使用形態における連結部を下方から見た部分斜視図である。
【図８】横幅の異なる机を平面視Ｌ字形に連結し、それぞれの机の天板に略同じ横幅の上棚を載置した状態の斜視図である。
【図９】図８の状態から両上棚の位置を入れ替えた状態の斜視図である。
【図１０】上棚の実施形態を示す斜視図である。
【図１１】上棚の実施形態を示す斜視図である。
【図１２】上棚の実施形態を示す斜視図である。
【図１３】上棚の実施形態を示す斜視図である。
【図１４】上棚の実施形態を示す斜視図である。
【符号の説明】
【００３０】
Ａ，Ｂ  机
１  天板
２  脚板体
３  支持枠
４  連結部材
５  幕板
６、６Ａ、６Ｂ  上棚
７  固定金具
８  側枠杆
９  前枠杆
１０  後枠杆
１１  ボルト
１２  連結ネジ
１３  ボルト
１４  回転締結具
１５  脚柱
１６  化粧板
１７  受部材
１８  支持板
１９  側板
２０  背板
２１  上棚板
２２  仕切板
２３  下棚板
２４  仕切板
２５  棚板
２６  小棚板
２７  小上棚
２８  小上棚
【図１】
2008206701.tif 000003
【図２】
2008206701.tif 000004
【図３】
2008206701.tif 000005
【図４】
2008206701.tif 000006
【図５】
2008206701.tif 000007
【図６】
2008206701.tif 000008
【図７】
2008206701.tif 000009
【図８】
2008206701.tif 000010
【図９】
2008206701.tif 000011
【図１０】
2008206701.tif 000012
【図１１】
2008206701.tif 000013
【図１２】
2008206701.tif 000014
【図１３】
2008206701.tif 000015
【図１４】
2008206701.tif 000016